(57)【要約】【課題】夜間時であっても患者が看護師を呼び出すためのハンド子機の所在がわかるように確認灯を備え、従来の確認灯のないシステムの消費電流に比べても増大しないナースコールシステムを提供する。【解決手段】 プレート子機は、ハンド子機と接続されている状態を通電状態とし、ハンド子機が脱落・断線すると通電状態が非通電状態となったことを検知する脱落断線検出回路と、ハンド子機から呼び出しがなされたことを検出する呼出検出回路と、ハンド子機からの呼び出しがなされたとき、呼出確認灯を点灯させるための呼出確認灯駆動回路とを備え、呼出確認灯は、待受時に脱落断線検出のための電流を用いて常時点灯されるためのハンド子機所在確認灯を兼用することを特徴とする。【選択図】  図３
2009201871.tif 000002
【特許請求の範囲】
【請求項１】
患者が看護師を呼び出すためのハンド子機又は握りボタンと、前記ハンド子機又は握りボタンが接続されるプレート子機と、各病室にいる患者の情報を表示するための廊下灯と、前記患者からの呼び出しに応答して通話をおこなうためのナースコール親機と、前記ナースコール親機及び前記廊下灯が接続され、システムを制御するための制御機とから構成されるナースコールシステムであって、
前記プレート子機は、前記ハンド子機又は握りボタンと接続されている状態を通電状態とし、前記ハンド子機又は握りボタンが脱落・断線すると前記通電状態が非通電状態となったことを検知する脱落断線検出回路と、前記ハンド子機又は握りボタンから呼び出しがなされたことを検出する呼出検出回路と、前記ハンド子機又は握りボタンからの呼び出しがなされたとき、呼出確認灯を点灯させるための呼出確認灯駆動回路とを備え、
前記呼出確認灯は、待受時に前記脱落断線検出のための電流を用いて常時点灯されるためのハンド子機又は握りボタン所在確認灯を兼用することを特徴とするナースコールシステム。
【発明の詳細な説明】
【技術分野】
【０００１】
本発明は、夜間時であっても患者が看護師を呼び出すためのハンド子機又は握りボタンの所在がわかるように確認灯を備え、従来の確認灯のないシステムの消費電流に比べても増大しないナースコールシステムに関する。
【背景技術】
【０００２】
従来から、ハンド子機又は握りボタンから呼び出しをしたときに、ナースコール親機側に呼び出しがなされたこと患者が確認できるように呼出確認表示灯を備えていた（例えば、特許文献１）。
【０００３】
このように構成することで患者はナースコール親機に呼び出しができたことを確認することができ、安心できる。
【０００４】
【特許文献１】特開２００３-２７４０２４
【発明の開示】
【発明が解決しようとする課題】
【０００５】
しかしながら、夜間時であっても患者が看護師を呼び出すためのハンド子機又は握りボタンの所在がわかるような確認灯がなく、呼び出しがし難い状況であった。また、確認灯を備える場合であっても、その確認灯を点灯させる為に通電させる必要があり、接続される数だけ消費電流が増大してしまう。
【０００６】
本発明は、上述の難点を解消するためになされたもので、夜間時であっても患者が看護師を呼び出すためのハンド子機又は握りボタンの所在がわかるように確認灯を備え、従来の確認灯のないシステムの消費電流に比べても増大しないナースコールシステムを提供することを目的とする。
【課題を解決するための手段】
【０００７】
上記課題を解決する為に、請求項１の発明は、患者が看護師を呼び出すためのハンド子機又は握りボタンと、ハンド子機又は握りボタンが接続されるプレート子機と、各病室にいる患者の情報を表示するための廊下灯と、患者からの呼び出しに応答して通話をおこなうためのナースコール親機と、ナースコール親機及び廊下灯が接続され、システムを制御するための制御機とから構成されるナースコールシステムであって、プレート子機は、ハンド子機又は握りボタンと接続されている状態を通電状態とし、ハンド子機又は握りボタンが脱落・断線すると通電状態が非通電状態となったことを検知する脱落断線検出回路と、ハンド子機又は握りボタンから呼び出しがなされたことを検出する呼出検出回路と、ハンド子機又は握りボタンからの呼び出しがなされたとき、呼出確認灯を点灯させるための呼出確認灯駆動回路とを備え、呼出確認灯は、待受時に脱落断線検出のための電流を用いて常時点灯されるためのハンド子機又は握りボタン所在確認灯を兼用することを特徴とする。
【発明の効果】
【０００８】
本発明の請求項１のナースコールシステムによれば、夜間時であっても患者が看護師を呼び出すためのハンド子機又は握りボタンの所在がわかるように確認灯を備えるとともに、従来の確認灯のないシステムの消費電流に比べても増大しない構成とすることができる。
【０００９】
また、ハンド子機又は握りボタン所在確認灯と呼出確認表示灯を兼用することができるので、部品点数を削減することができ、ひいてはコストを削減することも可能となる。
【発明を実施するための最良の形態】
【００１０】
以下、本発明のナースコールシステムを適用した最良の実施の形態例について、図面を参照して説明する。
【００１１】
図１は、本発明の実施例によるナースコールシステムの構成であり、ナースセンターに設置され、患者からの呼び出しに対して応答するためのナースコール親機１、ナースコールシステムを制御するための制御機２、制御機２に接続され、病室の患者情報を表示するための廊下灯３、廊下灯３に接続され後述するハンド子機又は握りボタンが接続され、看護師を呼び出して通話するためのプレート子機４、患者がベッドで看護師を呼び出すために操作するハンド子機又は握りボタン５（本実施例ではハンド子機として説明する）から構成されている。
【００１２】
図２は、プレート子機４、ハンド子機５の拡大図であり、ハンド子機５には、看護師を呼び出すための呼出ボタン５１、待受時にぼんやりと点灯するハンド子機所在確認灯と当該呼出ボタンを操作したときに明るく点灯する呼出確認灯を点灯する兼用確認灯５２を備えている。
【００１３】
図３は、プレート子機４とハンド子機５の要部ブロック・回路図である。
【００１４】
プレート子機４には、脱落断線検出回路４１、呼出検出回路４２、呼出確認灯駆動回路４３、廊下灯３と接続するためのインターフェース（以下、「ＩＦ」という）４４、ＣＰＵ４５とから構成されている。
【００１５】
また、ハンド子機５は、呼出ボタン５１、兼用確認灯５２とを備えている。
【００１６】
このように構成されたナースコールシステムにおいて、以下、動作を説明する。
【００１７】
通常時（待受時）は、ハンド子機の脱落・断線を検出するためにプレート子機４から電流IDD＝１mAが流れハンド子機５と通電状態となっている。なお、この状態において、ハンド子機５が脱落又は断線するとプレート子機４の脱落断線検出回路４１が検出し、ＣＰＵ４５に通知する。ＣＰＵ４５は、これをＩＦ４４、廊下灯３、制御機２を介してナースコール親機１に通知し、ナースコール親機１で警報を出力する（詳述せず）。
【００１８】
ここで、ハンド子機の脱落・断線を検出するための電流IDD＝１mAを兼用確認灯５２に供給し、発光させる。
【００１９】
これにより、特に夜間時においてぼんやりと兼用確認灯５２が点灯しているのでベッドの上にあるハンド子機５の所在を確認しやすくなり、緊急時においても操作がしやすくなる。また、ハンド子機の脱落・断線を検出するための電流IDDを用いているのでシステムとしての消費電流が増大することがない。
次に、患者が看護師を呼び出すためにハンド子機５の呼出ボタン５１を操作すると、電流INC＝１０mAが流れる。これをプレート子機４の呼出検出回路４２が検出し、ＣＰＵ４５に通知する。ＣＰＵ４５は、これをＩＦ４４、廊下灯３、制御機２を介してナースコール親機１に通知し、ナースコール親機１で呼び出しを報知する（詳述せず）。
【００２０】
また、プレート子機４のＣＰＵ４５は、呼び出しがなされたことを検出した段階で呼出確認駆動回路４３を駆動し、電流ILC＝１０mAが兼用確認灯５２に供給される。IDD＜ILCであるため、兼用確認灯がハンド子機所在確認灯として発光している状態に比べて高輝度で発光する。これにより、兼用確認灯５２は、呼出確認表示灯として動作し、患者はナースコール親機１で呼び出しがなされたことを容易に確認することができる。
【００２１】
なお、このように構成することでハンド子機所在確認灯と呼出確認表示灯を兼用することができるので、部品点数を削減することができ、ひいてはコストを削減することも可能となる。
【図面の簡単な説明】
【００２２】
【図１】本発明に係るナースコールシステムのシステム構成図である。
【図２】本発明に係るナースコールシステムにおけるプレート子機４、ハンド子機５の拡大図である。
【図３】本発明に係るナースコールシステムにおけるプレート子機４とハンド子機５の要部ブロック・回路図である。
【符号の説明】
【００２３】
１・・ナースコール親機
２・・制御機
３・・廊下灯
４・・プレート子機
５・・ハンド子機又は握りボタン
４１・・脱落断線検出回路
４２・・呼出検出回路
４３・・呼出確認灯駆動回路
５２・・兼用確認灯
【図１】
2009201871.tif 000003
【図２】
2009201871.tif 000004
【図３】
2009201871.tif 000005